(57)【要約】      （修正有）【課題】基枠への取り付けの容易化及び濾過の高効率化の維持を図ると共に、ウレタン系樹脂接着剤を不要とする軽量化とジクロロメタン含有溶剤の撤廃を含む対環境性を配慮した部材で構成されるエアフィルター装置を提供する。【解決手段】天板１１、底板１２、左側板１３及び右側板１４を有するエアフィルター基枠１と、このフィルター基枠内に配設される濾材２とを備え、この天板の内側の表面１１ａ及び底板の内側の表面１２ａとこれらの表面と接する濾材２の上下端面２ａの外縁とが熱可塑性接着剤３で固定されている。【選択図】図１
0003205581.tif 000002
【実用新案登録請求の範囲】
【請求項１】
天板、底板及び左右両側板を有するフィルター基枠と、当該フィルター基枠内に配設される濾材とを備え、
前記フィルター基枠の天板及び底板の内側の表面と当該表面と接する前記濾材の上端面及び下端面の外縁とが熱可塑性接着剤で固定されている
ことを特徴とするエアフィルター装置。
【請求項２】
前記接着剤は、前記濾材に対して少なくとも空気が入る側に塗布されている
ことを特徴とする請求項１に記載のエアフィルター装置。
【請求項３】
前記接着剤が塗布される前には、前記フィルター基枠の天板及び底板の内側の表面に、前記濾材の上端面及び下端面の外縁と所定の距離を介して当該接着剤の型枠が仮置きされている
ことを特徴とする請求項１又は２に記載のエアフィルター装置。
【請求項４】
前記濾材は蛇腹状で、
前記濾材と前記型枠との間に流し込まれた前記接着剤が蛇腹状に固まる
ことを特徴とする請求項１〜３のいずれか一項に記載のエアフィルター装置。
【請求項５】
前記接着剤は、流し込み用の注入機の洗浄にジクロロメタン含有溶剤が不要なホットメルトである
ことを特徴とする請求項１〜４のいずれか一項に記載のエアフィルター装置。
【考案の詳細な説明】
【技術分野】
【０００１】
本考案は、屋内の空気の浄化に用いるためのエアフィルター装置に関する。
【背景技術】
【０００２】
従来から、屋内の空調機器には、外部の空気を吸引して暖房機能、冷房機能、除湿機能又は送風機能に活かしているものがあった。しかしながら、外部の空気には、目に見える粉塵やほこりのみならず、目に見えない微細な有害物質が含まれている場合もあり、屋内に導入する前には濾過処理が必要であった。そのため、濾過効率が高く且つ高風量でも耐え得る形状安定性を有するフィルターが求められていた。
【０００３】
そこで、個々がＶ字のプリーツ形状の濾材で、上記濾材の上下の天地部分に上記プリーツ形状を固定する所定の部材が取り付けられたフィルタエレメントの発想が提案されている（例えば、特許文献１参照。）。
【先行技術文献】
【特許文献】
【０００４】
【特許文献１】特許４２５８７２５号公報
【考案の概要】
【考案が解決しようとする課題】
【０００５】
しかしながら、上述したフィルタエレメントを基枠に固定する場合、上記基枠への装着構造に問題があった。詳細には、ボックス状の基枠の天板及び底板に、濾材の上下の天地部分に合致する凹溝を設けなければならず、加工に手間がかかっていただけでなく、天地部分に相応の厚みを有する基材が必要だったため、基枠の重量が嵩んでしまっていた。また、ウレタン系樹脂接着剤の使用重量も嵩んでしまっていた。
【０００６】
さらに、上記凹溝に上記濾材を固定するためにウレタン系樹脂接着剤を用いており、上記ウレタン系樹脂接着剤の注入機の洗浄には、洗浄効果やコストを優先して人体に有害なジクロロメタン含有溶剤が採用されていた。
【０００７】
そこで本考案の目的は、基枠への取り付けの容易化及び濾過の高効率化の維持を図ると共に、対環境性を配慮した部材で構成されるエアフィルター装置を提供することにある。
【課題を解決するための手段】
【０００８】
上記課題を解決するために、本考案におけるエアフィルター装置は、天板、底板及び左右両側板を有するフィルター基枠と、上記フィルター基枠内に配設される濾材とを備え、上記フィルター基枠の天板及び底板の内側の表面と上記表面と接する上記濾材の上端面及び下端面の外縁とが熱可塑性接着剤で固定されていることを特徴とする。
【０００９】
また、上記熱可塑性接着剤は、上記濾材に対して少なくとも空気が入る側に塗布されていることが望ましい。すなわち、上記熱可塑性接着剤は、空気が入る側及び空気が出る側に塗布されていてもよい。
【００１０】
また、上記熱可塑性接着剤が塗布される前には、上記フィルター基枠の天板及び底板の内側の表面に、上記濾材の上端面及び下端面の外縁と所定の距離を介して上記熱可塑性接着剤の型枠が仮置きされていることが望ましい。
【００１１】
また、上記濾材は蛇腹状で、上記濾材と上記型枠との間に流し込まれた上記熱可塑性接着剤が蛇腹状に固まることが望ましい。
【００１２】
上記熱可塑性接着剤は、流し込み用の注入機の洗浄にジクロロメタン含有溶剤が不要なホットメルトであることが望ましい。
【考案の効果】
【００１３】
本考案におけるエアフィルター装置は、フィルター基枠の天板及び底板の内側の表面と、上記表面と接する上記濾材の上端面及び下端面の外縁とが、熱可塑性接着剤で固定されていることにより、安定して濾材を設置することができる。すなわち、天板及び底板の内側に濾材を固定するためのウレタン系樹脂接着剤を注入する凹溝を設ける必要がなく、簡易な構造（軽量化含む）かつ従来と同等の濾過効率を有するエアフィルター装置を実現することができる。さらに、ウレタン系樹脂接着剤が不要となるため、接着剤自体の使用重量の削減効果が実現する。
【００１４】
また、上記熱可塑性接着剤が上記濾材に対して少なくとも空気が入る側に塗布されていることにより、上記濾材の端部が両脇から挟まれた状態で上記天板や上記底板に固定されているため、高風量に耐えられるエアフィルター装置の構造を実現することができる。
【００１５】
また、上記濾材の上端面及び下端面の外縁と所定の距離を介して上記熱可塑性接着剤の型枠が仮置きされていることにより、漏れなく均一に熱可塑性接着剤が塗布されたエアフィルター装置の構造を実現することができる。
【００１６】
また、上記濾材と上記型枠との間に流し込まれた上記熱可塑性接着剤が、上記濾材の形状に合わせて蛇腹状に固まることにより、上記濾材の上下端面の外縁全周が上記熱可塑性接着剤で固定されるため、上記濾材の設置強度が増しより高い安定性を有するエアフィルター装置の構造を実現することができる。
【００１７】
また、上記熱可塑性接着剤がホットメルトであることにより、従来用いていたウレタン系樹脂接着剤の注入機を洗浄するジクロロメタン含有溶剤が不要となるため、環境を考慮した材料にてエアフィルター装置を実現することができる。
【図面の簡単な説明】
【００１８】
【図１】エアフィルター装置の上面図と正面図である。
【図２】エアフィルター装置の一部拡大端面図である。
【図３】エアフィルター装置の組み立て図である。
【考案を実施するための形態】
【００１９】
まず、図１を参照しつつ、本考案の一実施形態におけるエアフィルター装置の構造の概要を説明する。図１（ａ）は、本実施形態におけるエアフィルター装置の上面図、図１（ｂ）は正面図である。なお、図１（ａ）においては、参照等の便宜上のため、フィルター基枠１の天板１１が透明な材質と仮定し、内部まで視認できることを想定している。
【００２０】
図１に示すとおり、本考案の一実施形態おけるエアフィルター装置は、天板１１、底板１２、左側板１３及び右側板１４を有するエアフィルター基枠１と、このフィルター基枠内に配設される濾材２とを備え、この天板の内側の表面１１ａ及び底板の内側の表面１２ａとこれらの表面と接する濾材２の上下端面２ａの外縁とが熱可塑性接着剤３で固定されていてもよい。
【００２１】
さらに、熱可塑性接着剤３は、濾材２に対して少なくとも空気が入る側に塗布されていてもよい。すなわち、熱可塑性接着剤３は、空気が入る側及び空気が出る側に塗布されていてもよい。
【００２２】
また、熱可塑性接着剤３が塗布される前には、天板１１の内側の表面１１ａ及び底板１２の内側の表面１２ａに、濾材２の上下端面２ａの外縁と所定の距離を介してこの熱可塑性接着剤の型枠４（点線）が仮置きされていてもよい。
【００２３】
また、濾材２は蛇腹状で、この濾材と型枠との間に流し込まれた熱可塑性接着剤３が蛇腹状に固まってもよい。
【００２４】
また、熱可塑性接着剤３は、流し込み用の注入機の洗浄溶剤に含有されているジクロロメタンが不要なホットメルトであってもよい。
【００２５】
次に、図１〜図２を用いて、本実施形態におけるエアフィルター装置の構造及び各部の詳細を説明する。図２は、図１（ａ）のＸ−Ｘ部分の拡大端面図である。
【００２６】
図１に示すとおり、エアフィルター基枠１は、平坦な天板１１と底板１２と左側板１３と右側板１４とを、それぞれ１枚ずつボックス状に組み立てたものであってもよい。また、空気が入る側を正面とすると、正面板及び背面版のない構造であってもよい。天板１１及び底板１２の内側の表面１１ａ及び１２ａは、平坦状であってもよい。
なお、エアフィルター基枠１の各部の寸法や素材に限定はなく、素材としては、例えば、木板やアクリル板が該当してもよい。底板１２は、耐荷重性を有する限り、薄くてもよい。
【００２７】
濾材２は、空気を濾過且つ折り返し可能な素材をＶ字状にプリーツ加工（一次折り加工）し、さらにＷ字状に折り加工（二次折り加工）したものが該当してもよく、折り加工が連続した蛇腹状を形成してもよい。濾材２の向きは、Ｖ字の先端が、平坦状でも鋭角状でもよい。上下端面２ａは、天板１１及び底板１２に面する平坦状でもよい。
なお、濾材２の寸法や素材に限定はなく、素材としては、例えば、不織布、紙、ガラス繊維紙が該当してもよい。また、濾材２の加工方法に関しては、特許第４２５８７２５号における特許公報の記載事項を準拠してもよい。
【００２８】
エアフィルター基枠１と濾材２とは、天板１１の内側の表面１１ａ及び底板１２の内側の表面１２ａと濾材２の上下端面２ａの外縁とに塗布された熱可塑性接着剤３で固定してもよい。
【００２９】
詳細には、図２に示すとおり、接着剤３は、天板１１の内側の表面１１ａ及び底板１２の内側の表面１２ａと、濾材２の上下端面２ａの左右両側面とを固定するように塗布されてもよい。
なお、エアフィルター基枠１の天板１１及び底板１２と濾材２とが接する面の間には、不織布Ｆが敷いてあったり、別の接着剤（付番しない）が塗布してあったりしてもよい。
【００３０】
熱可塑性接着剤３は、流動性を有し、フィルター基枠１及び濾材２に対して接着効果を発揮するものであれば限定は無く、例えば、ホットメルトでもよい。
【００３１】
また、図１及び図２に示すとおり、型枠４（点線）は、熱可塑性接着剤３が塗布される前に、設置した蛇腹状の濾材２の狭間に仮置きされるものを示してもよい。型枠４の形状は、三角形が横方向に連続した形状であってもよい。
なお、型枠４は、濾材２に併せて形状を変更してもよく、例えば、濾材がＵ字状の場合、この型枠は端部が円弧の略長方形状であってもよい。型枠４の素材は、鉄や鋼等の金属板やポリプロピレン等の発泡樹脂板でもよい。型枠４が発泡樹脂板等の軽量素材の場合、天板１１及び底板１２に常設（固定）してもよい。
【００３２】
次に、図２及び図３を参照しつつ、本実施形態におけるエアフィルター装置の組み立て手順を説明する。なお、参照等の便宜上のため、濾材２、熱可塑性接着剤３及び型枠４にはそれぞれハッチングをして描写している。
【００３３】
まず、図３（a）に示すとおり、天板１１、底板１２、左側板１３及び右側板１４を組み立てて、エアフィルター基枠１の土台を作成する。
【００３４】
次に、図３（ｂ）に示すとおり、エアフィルター基枠１の正面側又は背面側から図２に示す不織布Ｆが上下端に貼り付いている濾材２を挿入する。このとき、濾材２の上下端面が天板１１及び底板１２の内側の表面に面すると共に、この濾材の左右端が左側板１３及び右側板１４の内側の表面に接する。
【００３５】
そして、図３（ｃ）に示すとおり、設置した濾材２で形成された狭間であって、フィルター基枠１の天板１１及び底板１２の内側の表面に、濾材２の上下端面の左右の外縁と所定の距離を介して、空気が入る側に型枠４を仮置きする。型枠４の各々は、熱可塑性接着剤３を塗布する蛇腹状の隙間以外の天板１１及び底板１２の内側の表面を覆う。
なお、空気が出る側に型枠４を仮置きしてもよい。
【００３６】
最後に、図３（ｄ）に示すとおり、型枠４で設けた蛇腹状の隙間に熱可塑性接着剤３を流し込み、この熱可塑性接着剤が固定する所定の時間経過後にこの型枠を取り外すと、フィルター基枠１の天板１１及び底板１２の内側の表面と濾材２の上下端面がこの熱可塑性接着剤で固定されている。
【００３７】
このように、本実施形態におけるエアフィルター装置は、フィルター基枠１の天板１１及び底板１２の内側の表面１１ａ及び１２ａと、これらの表面と接する濾材２の上下端面２ａの外縁とが、熱可塑性接着剤３で固定されていることにより、安定して濾材を設置することができる。すなわち、天板１１及び底板１２の内側に濾材２を固定するためのウレタン系樹脂接着剤を注入する凹溝を設ける必要がなく、簡易な構造（軽量化含む）かつ従来と同等の機能を有するエアフィルター装置を実現することができる。さらに、ウレタン系樹脂接着剤が不要となるため、接着剤自体の使用重量の削減効果が実現する。
【００３８】
また、熱可塑性接着剤３が濾材２に対して少なくとも空気が入る側に塗布されていることにより、この濾材の端部が両脇から挟まれた状態で天板１１や底板１２に固定されているため、高風量に耐えられるエアフィルター装置の構造を実現することができる。
【００３９】
また、濾材２の上下端面２ａの外縁と所定の距離を介して熱可塑性接着剤３の型枠４が仮置きされていることにより、漏れなく均一にこの熱可塑性接着剤を塗布することができる。
【００４０】
また、濾材２と型枠４との間に流し込まれた熱可塑性接着剤３が、この濾材の形状に合わせて蛇腹状に固まることにより、この濾材の上下端面２ａの少なくとも空気が入る側の外縁がこの熱可塑性接着剤で固定されるため、この濾材の設置強度が増しより高い安定性を有するエアフィルター装置の構造を実現することができる。
【００４１】
また、熱可塑性接着剤３がホットメルトであることにより、従来用いていたウレタン系樹脂接着剤の注入機を洗浄するジクロロメタン含有溶剤が不要となるため、環境を考慮した材料にてエアフィルター装置を実現することができる。
【産業上の利用可能性】
【００４２】
本考案におけるエアフィルター装置は、商業用ビル、集合住宅、個別住宅、企業の建築物、医療施設又は介護施設等に関する産業に広く利用可能である。
【符号の説明】
【００４３】
１          フィルター基枠
１１        天板
１１ａ      天板の内側の表面
１２        底板
１２ａ      底板の内側の表面
１３        左側板
１１        右側板
２          濾材
２ａ        濾材の上下端面
３          熱可塑性接着剤
【図１】
0003205581.tif 000003
【図２】
0003205581.tif 000004
【図３】
0003205581.tif 000005
【手続補正書】
【提出日】平成28年5月27日(2016.5.27)
【手続補正１】
【補正対象書類名】実用新案登録請求の範囲
【補正対象項目名】請求項４
【補正方法】変更
【補正の内容】
【請求項４】
前記濾材は蛇腹状で、
前記濾材と前記型枠との間に流し込まれた前記接着剤が蛇腹状に固まる
ことを特徴とする請求項３に記載のエアフィルター装置。